(57)【要約】【課題】装飾機能を極力、阻害しない部位から、香りを発散できるとともに、自分の好みやその場の雰囲気に応じて、香りの種類を即座に取り換えたり、長時間の放出を可能にする機能を有する装飾品の提供。【解決手段】壁部３−２ａ、３−２ｂ、３−２ｃ、３−２ｄおよび底部３−３により形成され、芳香成分を収納するための開口部３−１を有する筺体３と、筺体３の開口部３−１を覆うように配置され、筺体３内の芳香成分が外へ透過するための孔２−１を有する蓋体２とを備えた芳香成分の担体部、身体または衣装に装着させる部位としての部材１０−１と、芳香成分の担体部の支持部位としての部材１０−４と、両部位を連結する部材１０−２、１０−３とを有する本体部および装飾機能部１３からなる装飾品。【選択図】図１
0003188540.tif 000002
【実用新案登録請求の範囲】
【請求項１】
芳香成分を収納するための部材と、該部材の一面を覆うように配置され、芳香成分を収納するための部材から芳香成分が外へ透過するための孔を有する蓋体とを備えた芳香成分の担体部、身体または衣装に装着させる部位と前記芳香成分の担体部の支持部位とを有する装飾品の本体部および装飾機能部からなる装飾品。
【請求項２】
前記芳香成分を収納するための部材が多孔質の焼結体からなり、蓋体に装飾機能部を設けた請求項１に記載の装飾品。
【請求項３】
前記芳香成分を収納するための部材が、芳香成分を収納するための開口部を備えた筺体であり、さらに該筺体の開口部を覆うように配置され、筺体内から芳香成分が外へ透過するための孔を有する蓋体が、該筺体から着脱可能に取り付けられてなる請求項１に記載の装飾品。
【請求項４】
前記装飾品の本体部の芳香成分の担体部の支持部位に、前記芳香成分の担体部が着脱可能に取り付けられてなる請求項３に記載の装飾品。
【請求項５】
前記装飾品の本体部の芳香成分の担体部の支持部位に対して、前記芳香成分の担体部が嵌合または螺合により取り付けられてなる請求項４に記載の装飾品。
【請求項６】
前記装飾品の本体部の芳香成分の担体部の支持部位に対して、前記芳香成分の担体部が磁力または粘着力により取り付けられてなる請求項４に記載の装飾品。
【考案の詳細な説明】
【考案の詳細な説明】
【技術分野】
【０００１】  本考案は、デザイン性を妨げることなく、簡単に芳香成分を収納、発散させる芳香成分の担体部を備えることにより、自分の気に入った香りを周囲に放出することができる装飾品に関し、特にペンダント、ネックレス、ブローチ、ブレスレット、ピアス、イヤリング、アンクレット、ヘアーバンド、バレッタ、シュシュ、ネクタイピン、カフリンクス、バックル、メガネ等の装飾品に関する。
【背景技術】
【０００２】  例えば、パーティーに参加する際に香水を利用する人は数多くいる。しかし、自分の体や衣装に直に香水を噴霧してしまえば、パーティー会場についてから、香水の香りがその場の雰囲気にふさわしくないと思えても如何ともし難く、香りのためにかえって人に接するのが気まずくなるといった経験をすることがある。それに対して、ファッションの一部として自然に利用される装飾品から香りを発散させるようにしておけば（例えば特許文献１、２、３）、その装飾品を外すだけで香りを断つことが可能なので、少なくとも、上記の様な気まずさをなくすことはできる。【０００３】  また、装飾品を身につける目的として、自身の外見やファッションセンスを良く見せようという意図が少なからずあり、それには、ある程度、身に付けている装飾品にも注目させることが必要になる。【０００４】  例えば、映画館などでひそひそ話をするとか、大歓声のスポーツスタジアムで話をするような場面では、相手の耳元に顔を近づけて話す機会は多い。このような状況でイヤリングをしていれば、話すほうも視界には入るだろうから、高いファッションセンスを相手に示すチャンスとなる。しかしながら、相手が話すことに意識が集中している間は漠然と見られるだけという結果になりやすい。もちろん、イヤリングそのものの形状や色、大きさ等で注目させることはできるが、上品さに欠けてしまうということにもなりかねない。【０００５】  一方、イヤリングから良い香りが漂ってくると、イヤリングに意識がいくようになり、注目される可能性は高くなる。だとすれば、香りを発するイヤリングは既に提案されている（例えば特許文献４、５）が、香りにあまり関心を示さない者もいる。そんなときは、話し相手が映画やスポーツを見ている間に、簡単に香りを別のものに変えられれば、話すたびに異なる香りをさせることで、相手の関心を引くチャンスをより多くできる。【０００６】  装飾品から香りを発散させるという技術については、過去からいろいろと提案されている。それでも、装飾品から発散する香りがその場の雰囲気にふさわしくなければ、即座にふさわしい香りに変えるという発想は、当然ながらない。また、相手の関心を引く手段として香りを変えるという発想もない。したがって、そういった発想を実行に移すためには、装飾品から発散させる芳香成分を簡単に取り換えられるような工夫の余地がある。【０００７】  さらに、装飾品という物品の特徴からして、芳香成分を発散させる部位の面積や収納できる量が制限されていることが多く、周囲の人に気付かせる量の芳香成分を長時間にわたって発散させることは困難である。
【先行技術文献】
【特許文献】
【０００８】
【特許文献１】特開平０７−０４７００４号公報
【特許文献２】特開平１０−１９２０１８号公報
【特許文献３】特開２００７−１６００６６号公報
【特許文献４】特開平１１−０５６４２０号公報
【特許文献５】特開２００３−１１６６０５号公報
【考案の概要】
【考案が解決しようとする課題】
【０００９】  以上の様に、装飾品から香りを発散させるための技術が多数開示されている。しかしながら、そのほとんどは、専ら、周囲に香り成分を発散させることが目的であるため、芳香成分の種類を即座に取り換えたり、長時間、放出することが困難な構造になっている。【００１０】  さらに、装飾品は、見た者に美的感覚を刺激することが必要であり、香りを発生させる部位がそういった装飾の機能を極力、阻害しないことも重要な条件となる。【００１１】  そこで本考案が解決しようとする課題は、装飾機能を極力、阻害しない部位から、香りを発散できるとともに、自分の好みやその場の雰囲気に応じて、香りの種類を即座に取り換えたり、長時間の放出を可能にする機能を有する装飾品を提供することにある。
【課題を解決するための手段】
【００１２】  すなわち、本考案は、（１）芳香成分を収納するための部材と、該部材の一面を覆うように配置され、芳香成分を収納するための部材から芳香成分が外へ透過するための孔を有する蓋体とを備えた芳香成分の担体部、身体または衣装に装着させる部位と前記芳香成分の担体部の支持部位とを有する装飾品の本体部および装飾機能部からなる装飾品である。【００１３】  また、本考案は、（２）前記芳香成分を収納するための部材が多孔質の焼結体からなり、蓋体に装飾機能部を設けた（１）項に記載の装飾品である。【００１４】  また、本考案は、（３）前記芳香成分の担体部を構成する芳香成分を収納するための部材が、芳香成分を収納するための開口部を備えた筺体であり、さらに該筺体の開口部を覆うように配置され、筺体内から芳香成分が外へ透過するための孔を有する蓋体が、該筺体から着脱可能に取り付けられてなる（１）項に記載の装飾品である。【００１５】  また、本考案は、（４）前記装飾品の本体部の芳香成分の担体部の支持部位に、前記芳香成分の担体部が着脱可能に取り付けられてなる（３）項に記載の装飾品である。【００１６】  また、本考案は、（５）前記装飾品の本体部の芳香成分の担体部の支持部位に対して、前記芳香成分の担体部が嵌合または螺合により取り付けられてなる（４）項４に記載の装飾品である。【００１７】  また、本考案は、（６）前記装飾品の本体部の芳香成分の担体部の支持部位に対して、前記芳香成分の担体部が磁力または粘着力により取り付けられてなる（４）項に記載の装飾品である。【００１８】  そして、これらのような構成を有する装飾品とすることにより、上記の課題を全て解決することが可能となる。
【考案の効果】
【００１９】  まず、上記（１）項の構成では、芳香成分の担持部と、身体または衣装に装着するための部位と前記芳香成分の担体部の支持する部位とを有する装飾物の本体部とを有し、装飾効果と香りの効果の両方を持たせることができる。【００２０】  また、上記（２）項の構造の特徴である、芳香成分を収納するための部材が多孔質の焼結体からなるため、液状の芳香成分であっても簡単に収納でき、また、蓋体に装飾機能部を設けたことにより、簡単な構造とすることが可能となる。【００２１】  また、上記（３）項の構造の特徴である、装飾品から香りを発散させるための芳香成分の担持部と、身体または衣装に装着するための部位と前記芳香成分の担体部の支持する部位とを有する装飾物の本体部とをそれぞれ略独立した構成とすることにより、装飾品のデザイン等の自由度を阻害しない位置に芳香成分の担持部を設けることを可能にする。そして、蓋体が筺体から着脱可能に取り付けられていることにより、収納する芳香成分の取り換えを容易にする。【００２２】  また、上記（４）項の構造の特徴である、芳香成分の担体部自体の取り換えを可能にし、予め、異なる香りの芳香成分を収納した担体部や、同じ香りの芳香成分を収納した担体部を数多く用意することにより、芳香成分の種類を即座に取り換えたり、長時間、放出することがさらに簡単に行えるようになる。【００２３】  また、上記（５）項の構造の特徴により、本体部の芳香成分の担体部の支持部位に対する芳香成分の担体部の着脱に、特殊な方法ではなく、嵌合や螺合という簡易な方法を利用することで、装飾品の本体部や芳香成分の担体部の細工が簡単になり、さらに、着脱自体も容易になる。【００２４】  また、上記（６）項の構造の特徴である、筺体と本体部の芳香成分の担体部の支持部位が磁力で接合可能な材料からなる時は、磁力で接合させることにより、極めて容易に本体部の芳香成分の担体部の支持部位に対する芳香成分の担体部の着脱が可能になる。一方、粘着力による取り付けの場合は、そのための装飾品の本体部や芳香成分の担体部の細工がほとんど不要になり、さらに、相応の粘着面積が得られる任意の場所への取り付けを可能にする。【００２５】  以上の構成により、装飾機能を極力、阻害しない部位から、香りを発散できるとともに、自分の好みやその場の雰囲気に応じて、香りの種類を即座に取り換えたり、長時間放出する機能を有する装飾品を提供することが可能となり、上記の課題を解決することができる。
【図面の簡単な説明】
【００２６】
【図１】本考案の第一実施例としてのペンダントの説明のための立体図である。
【図２】（ａ）は芳香成分の担体部の一実施形態を示した断面図である。（ｂ）は装飾機能部を備えた芳香成分の担体部の一実施形態を示した断面図である。
【図３】（ａ）は芳香成分を収納するための部材に連結部材を取り付けた状態の一実施形態を示す断面図である。（ｂ）はその実施形態の立体図である。
【図４】（ａ）は図３で示した構成からなる芳香成分の担体部の連結の一実施形態を説明するための連結前の状態を示す立体図である。（ｂ）はその連結の一実施形態を説明するための連結後の状態を示す立体図である。
【図５】（ａ）は図４で示す芳香成分の担体部の複数を連結して得られた第二実施例のブレスレットの立体図である。（ｂ）は同様にして得られた第三実施例のブレスレットの立体図である。
【図６】（ａ）は芳香成分を収納するための部材に連結部材を取り付けた状態の他の実施形態を示す断面図である。（ｂ）はその実施形態の立体図である。
【図７】（ａ）は図６で示した芳香成分の担体部の複数を連結して得られる第四実施例のブレスレットの一部分の立体図である。（ｂ）は第四実施例のブレスレットの全体を示した立体図である。
【図８】（ａ）は筺体と蓋体とで構成される芳香成分の担体部の一実施形態を示す断面図である。（ｂ）はその実施形態の蓋体を筺体に取り付ける前の状態を示す芳香成分の担体部の立体図である。（ｃ）はその実施形態の蓋体を筺体に取り付けた後の状態を示す芳香成分の担体部の立体図である。
【図９】（ａ）は蓋体を筺体に磁力で着脱可能にする芳香成分の担体部の一実施形態を示す断面図である。（ｂ）はその実施形態の蓋体を筺体に取り付ける前の状態を示す立体図である。（ｃ）はその実施形態の蓋体を筺体に取り付けた後の状態を示す芳香成分の担体部の立体図である。
【図１０】（ａ）は芳香成分の担体部の筺体内に液体の芳香成分を収納した例を示す断面図である。（ｂ）は芳香成分の担体部の筺体内に粒子状の芳香成分を収納した例を示す断面図である。（ｃ）は芳香成分の担体部の筺体内に固体の芳香成分を収納した例を示す断面図である。（ｄ）は芳香成分の担体部の筺体内に芳香成分を含浸させた多孔質の焼結体を収納した例を示す断面図である。（ｅ）は芳香成分の担体部の筺体内に液状の芳香成分を含浸させた繊維質のものを収納した例を示す断面図である。
【図１１】装飾品の本体部の一実施形態としてのペンダントの立体図である。
【図１２】（ａ）は装飾品の本体部の一実施形態としてのイヤリングの断面図である。（ｂ）はその実施形態のイヤリングの立体図である。
【図１３】装飾機能部を装飾品の本体部の一面に設けたペンダントの立体図である。
【図１４】（ａ）は芳香成分の担体部を支持部位に嵌合により着脱自在に取り付ける一実施形態を説明するための、芳香成分の担体部を支持部位に嵌合する前の状態を示す断面図である。（ｂ）はその実施形態を説明するための、芳香成分の担体部を支持部位に嵌合した後の状態を示す断面図である。
【図１５】（ａ）は芳香成分の担体部を支持部位に嵌合により着脱自在に取り付ける別の実施形態を説明するための、芳香成分の担体部を支持部位に嵌合する前の状態を示す断面図である。（ｂ）はその実施形態を説明するための、芳香成分の担体部を支持部位に嵌合した後の状態を示す断面図である。
【図１６】（ａ）は図１５の実施形態を適用した第五実施例のペンダントの芳香成分の担体部を支持部位に嵌合する前の状態を示す立体図である。（ｂ）はその第五実施例のペンダントの芳香成分の担体部を支持部位に嵌合した後の状態を示す立体図である。
【図１７】（ａ）は芳香成分の担体部を支持部位に嵌合により着脱自在に取り付ける別の実施形態を説明するための、芳香成分の担体部を支持部位に嵌合する前の状態を示す断面図である。（ｂ）はその実施形態を説明するための、芳香成分の担体部を支持部位に嵌合した後の状態を示す断面図である。
【図１８】（ａ）は図１７の実施形態を適用した第六実施例のペンダントの芳香成分の担体部を支持部位に嵌合する前の状態を示す立体図である。（ｂ）はその第六実施例のペンダントの芳香成分の担体部を支持部位に嵌合した後の状態を示す立体図である。
【図１９】（ａ）は芳香成分の担体部を支持部位に螺合により着脱自在に取り付ける一実施形態を説明するための、芳香成分の担体部を支持部位に螺合する前の状態を示す断面図である。（ｂ）はその実施形態を説明するための、芳香成分の担体部を支持部位に螺合した後の状態を示す断面図である。
【図２０】（ａ）は図１９の実施形態を適用した第七実施例のイヤリングの芳香成分の担体部を支持部位に螺合する前の状態を示す断面図である。（ｂ）はその第七実施例のイヤリングの芳香成分の担体部を支持部位に螺合した後の状態を示す断面図である。
【図２１】（ａ）は図１９の実施形態を適用した第七実施例のイヤリングの芳香成分の担体部を支持部位に螺合する前の状態を示す立体図である。（ｂ）はその第七実施例のイヤリングの芳香成分の担体部を支持部位に螺合した後の状態を示す立体図である。
【図２２】（ａ）は芳香成分の担体部を支持部位に磁力で着脱可能に取り付ける一実施形態を説明するための、芳香成分の担体部を支持部位に取り付ける前の状態を示す断面図である。（ｂ）はその実施形態を説明するための、芳香成分の担体部を支持部位に取り付けた後の状態を示す断面図である。
【図２３】（ａ）は図２２の実施形態を適用した第八実施例のペンダントの芳香成分の担体部を支持部位に取り付ける前の状態を示す立体図である。（ｂ）はその第八実施例のペンダントの芳香成分の担体部を支持部位に取り付けた後の状態を示す立体図である。
【図２４】（ａ）は図２２の実施形態を適用した第九実施例のイヤリングの芳香成分の担体部を支持部位に取り付ける前の状態を示す断面図である。（ｂ）はその第九実施例のイヤリングの芳香成分の担体部を支持部位に取り付けた後の状態を示す断面図である。
【図２５】（ａ）は図２２の実施形態を適用した第九実施例のイヤリングの芳香成分の担体部を支持部位に取り付ける前の状態を示す立体図である。（ｂ）はその第九実施例のイヤリングの芳香成分の担体部を支持部位に取り付けた後の状態を示す立体図である。
【図２６】（ａ）は芳香成分の担体部を支持部位に粘着力で着脱可能に取り付ける一実施形態を説明するための、芳香成分の担体部を支持部位に取り付ける前の状態を示す断面図である。（ｂ）はその実施形態を説明するための、芳香成分の担体部を支持部位に取り付けた後の状態を示す断面図である。
【図２７】（ａ）は図２６の実施形態を適用した第十実施例のペンダントの芳香成分の担体部を支持部位に取り付ける前の状態を示す立体図である。（ｂ）はその第十実施例のペンダントの芳香成分の担体部を支持部位に取り付けた後の状態を示す立体図である。
【考案を実施するための形態】
【００２７】  本考案の最良な実施形態は、芳香成分を収納するための部材と、該部材の一面を覆うように配置され、芳香成分が筺体内から外へ透過するための孔を有する蓋体とを備えた芳香成分の担体部、身体または衣装に装着させる部位と前記芳香成分の担体部の支持部位とを有する装飾品の本体部および装飾機能部からなる装飾品である。
【００２８】  また、さらに付随して、芳香成分を収納するための部材が多孔質の焼結体からなり、蓋体に装飾機能部を設けた装飾品である。また、さらに付随して、芳香成分を収納するための開口部を備えた筺体と、該筺体の開口部を覆うように配置され、芳香成分が筺体内から外へ透過するための孔を有し、さらに該筺体から着脱可能に取り付けられた蓋体とを備えた芳香成分の担体部、身体または衣装に装着させる部位と前記芳香成分の担体部の支持部位とを有する装飾品の本体部および装飾機能部からなる装飾品である。以下、図面に示す実施例に基づいて具体的に説明する。
【００２９】第一実施例の説明
【００３０】  図１は、本考案の装飾品の第一実施例としてのペンダント１００を示すものである。図１において、芳香成分を収納するための部材は、壁部３−２ａ、３−２ｂ、３−２ｃ、３−２ｄおよび底部３−３により形成され、芳香成分を収納するための開口部３−１を有する筺体３であり、筺体３内の芳香成分が外へ透過するための孔２−１を有する蓋体２が芳香成分を収納するための開口部３−１を覆うようにして芳香成分の担体部が形成される。そしてペンダントの本体部は、身体または衣装に装着させる部位としての部材１０−１と、芳香成分の担体部の支持部位としての部材１０−４と、両部位を連結する部材１０−２、１０−３とを有する。
【００３１】  さらに、装飾機能部１３が、芳香成分の担体部の支持部位としての部材１０−４の、芳香成分の担体部が取り付けられている側と反対の面に設けられている。
【００３２】  なお、図１に示した構成に利用できる材料等の詳細については、さらに後記する図面をもとに説明する。
【００３３】第二実施例、第三実施例及び第四実施例の説明
【００３４】  図２の（ａ）は、本考案の装飾品を構成する芳香成分の担体部の一実施形態を説明するための断面図である。図２の（ａ）では、芳香成分を収納するための部材１（以下、収納部材１と記載することもある）と、当該部材１の中に収納された芳香成分が外へ透過するための孔２−１を有する蓋体２とからなる最も簡単な構成の芳香成分の担体部を示している。この担体部は収納部材１の一面を蓋体２で覆う構造であり、略直方体状の収納部材１と蓋体２とを、蓋体２に設けた孔２−１をふさがない部分を接着剤などで接着して、一体の構造とするものである。
【００３５】  収納部材１は多孔質性の材料が好適に利用でき、例えば、無機酸化物を焼結して得られるセラミックなどが利用できる。また、収納部材１の中に収納された芳香成分の速放性から徐放性まで、求められる芳香成分の放出速度に応じて、蓋体２の孔２−１の数や大きさを調整することは、本考案においても好ましい態様である。
【００３６】  さらに、図２の（ｂ）のように、蓋体２の表面に装飾機能部２−２を一緒に有する構成からなる芳香成分の担体部２０（以下、単に担体部２０と略記することがある）であることが、装飾効果と香りの効果の両方を二つの部材で持たせるという点で好適である。
【００３７】  なお、本考案における装飾機能部とは、色彩や模様、造形等とその組み合わせにより、見ている者の美的感覚を刺激する機能を有する部位である。そして蓋体の場合、例えば、色彩では金色、銀色等の金属光沢を有する色や、高い光沢や輝きを放つ各色であったり、模様では動植物の精緻な絵やデフォルメした図柄、幾何学模様、紋章や旗章、形状では蓋体の表面に設けられる幾何学的な形状が該当するが、もちろん、見ている者に何らかの美的感覚を刺激する機能を有する部位であればよく、これらに限定されるわけではない。
【００３８】  蓋体２の材質としては、上記の装飾機能部を形成しやすいという点から高分子材料やアルミニウム、銅などの柔らかい金属が好適に利用でき、外見上、孔２−１が目立たないという点から多孔質プラスチックを利用することは本考案の好ましい態様である。
【００３９】  図３から図７は、担体部２０の複数を連結することにより得られる装飾品の一実施形態として、ブレスレットの説明のための図面である。
【００４０】  まず、図３の（ａ）は、一実施形態として、担体部２０への取り付け部４−１ａと、さらに担体部２０の複数を連結するためのパイプ状の連結部４−２ａとからなる連結部材、同じく取り付け部４−１ｂおよび連結部４−２ｂ（４−２ｂａ、４−２ｂｂ）とからなる連結部材を、担体部２０へ取り付けた状態を示す断面図である。また、図３の（ｂ）は、その実施形態の立体図である。
【００４１】  担体部２０に連結部材を取り付けるには、担体部２０の両側に連結部材の取り付け部４−１ａおよび４−１ｂの部分を挟んでかしめる方法や接着剤を利用する方法等があり、本実施形態ではかしめる方法により取り付けている。
【００４２】  連結部材の連結部４−２ａは一つのパイプ状の部材であり、連結部４−２ｂでは二つのパイプ状の部材４−２ｂａと４−２ｂｂとから構成される。さらに、連結部４−２ａの長さは、連結部４−２ｂの部材４−２ｂａと４−２ｂｂとの間隔より僅かに短くし、また、連結部４−２ａの穴の直径を連結部４−２ｂの穴の直径より大きくして、連結した時にわずかな遊びが生じるようにすることが好適である。
【００４３】  なお、連結部材の材質としては、担体部２０への取り付け方法がかしめるという点から金属製であって、細工しやすいという点からはアルミニウム、銅などの柔らかい金属が好適に利用できる。そして、連結部材の取り付け部４−１ａ（４−１ｂ）と連結部４−２ａ（４−２ｂ）が金属製であって、別々に作成される場合、その接合にはろう付け等が利用できる。しかし、これは連結部材の一例を示すものであって、もちろん、取り付け部と連結部とが一体の形状で作成されたものでも利用できる。
【００４４】  図４は、図３で示した構成からなる、連結部材を取り付けた担体部２０を複数連結する方法の一実施形態を示した立体図である。本実施形態では、連結部材を取り付けた二つの担体部２０において、一方の担体部２０側の連結部４−２ａを、もう一方の担体部２０側の連結部４−２ｂの４−２ｂａと４−２ｂｂとの間に挟んで、４−２ｂａの孔の直径より僅かに大きい部位５−１、先端に行くに従って直径が細くなり、最先端では４−２ｂａの孔の直径より僅かに小さい部位５−２、４−２ｂａの孔の直径より僅かに小さい部位５−３、４−２ｂｂの外径と略同一径を有する部位５−４および中央に切れ込み５−５を設けた割りピン５を挿通するものであり、簡単に二つの担体部２０を連結することができるという点で好適である。
【００４５】  なお、細工は必要になるが、部材４−２ｂａおよび４−２ｂｂの内側に雌ねじを切り、一方の先端に部材４−２ｂａらと螺合可能な雄ねじを切り、もう一方の先端に４−２ｂｂの外径と略同一径の部位と、その中間に４−２ｂａの孔の直径より僅かに小さい部位を有するピン状の部材で部材４−２ｂｂ、部材４−２ａを挿通して、４−２ｂａと螺合することにより二つの担体部２０を連結することもできる。
【００４６】  図５の（ａ）は、図４で示した方法により担体部を連結し、さらに身体に装着するための部材を取り付けた時の第二実施例のブレスレット２００ａを示す立体図である。第二実施例のブレスレット２００ａでは、身体に装着するためにごく普通のベルト６−２とバックル６−３を利用する。そして、本実施例のブレスレット２００ａを身体に装着するためには、通常の通り、ベルト６−２をバックル６−３側の６−３ａに通して、ベルト６−２に設けた孔６−２ａにバックル６−３側の部材６−３ｂを挿通させるものである。
【００４７】  なお、本実施例の場合、担体部２０の支持部位としては連結部材の取り付け部が該当し、装飾機能部は蓋材２の表面に設けられている。
【００４８】  図５の（ｂ）は、図４で示した方法により担体部を連結し、さらに身体に装着するための部材を取り付けた時の第三実施例のブレスレット２００ｂを示す立体図である。第三実施例では、身体に装着するために一般的な装着用部材６−４と６−５を利用する。そして、本実施例のブレスレット２００ｂを身体に装着するためには、通常の通り、装着用部材６−５側の部材６−５ｃを装着用部材６−４側の６−４ａに通し、部材６−４ｂを部材６−５ｂと６−５ｃで挟み、部材６−５ａに部材６−５ｄを当接させるものである。
【００４９】  なお、本実施例の場合でも、担体部２０の支持部位としては連結部材の取り付け部が該当し、装飾機能部は蓋材２の表面に設けられている。
【００５０】  図６の（ａ）は、他の実施形態として、担体部２０への取り付け部４−３ａと、さらに担体部２０の複数を連結するためにひも状のゴムを挿通させるために孔４−５ａを設けた連結部４−４ａとからなる連結部材、同じく取り付け部４−３ｂおよびひも状のゴムを挿通させるために孔４−５ｂを設けた連結部４−４ｂとからなる連結部材を、担体部２０に取り付けた状態を示す断面図、図６の（ｂ）は、その実施形態の立体図である。本実施形態では、担体部２０の上下に連結部材の取り付け部４−３ａおよび４−３ｂの部分を挟んで接着剤で接着して取り付ける。また、孔４−５ａおよび孔４−５ｂは、挿通するゴムの直径より大きく、一方で連結部材の強度が低下しない範囲で設けることが好ましい。
【００５１】  連結部材の材質としては、細工しやすいという点から高分子材料やアルミニウム、銅などの柔らかい金属が好適に利用できる。
【００５２】  なお、本実施形態では、担体部２０の複数を連結するために、連結部材に通す時は一本のひも状のゴムであって、全部の連結部材に通した後で環状にするものである。
【００５３】  図７の（ａ）は、図６で示した構成からなる担体部２０の複数を連結することにより得られる第四実施例のブレスレット３００の一部（Ａ〜Ｄの部位）を示した立体図である。各担体部２０の上下に取り付けた連結部材の孔４−５ａおよび４−５ｂにはひも状のゴムを挿通してあり、最終的にはゴムの両端を結ぶか、糸などで継合わせて環状にすることにより連結されている。
【００５４】  図７の（ｂ）は第四実施例のブレスレット３００の全体を示した立体図である。本実施例により得られるブレスレット３００は、身体に装着することが簡単であり、また、装着中に担体部２０に応力がかかりにくいため、担体部２０の破損を抑制できるという点で好適である。
【００５５】  以上の様な芳香成分の担体部２０を用いた第二〜第四実施例の装飾品では、利用できる芳香成分はほぼ液状に限定されるが、スプレーなどを利用して収納部材１に芳香成分を吹き付ける方法や、装飾品を、直接、芳香成分中に浸漬させる方法等により、簡単に芳香成分を収納部材１中に収納することができる。そして、収納部材１を多く装着し、また、結果的に芳香成分の発散する面積が広くなるため、より多くの芳香成分を発散できるという点で好適である。
【００５６】  また、好ましい実施形態として担体部２０を複数利用する装飾品を例示したが、単独で利用しても良く、例えば、図１７、図１８で示すペンダントでの例示（嵌合）の様な利用が可能である。
【００５７】第五実施例、第六実施例および第七実施例の説明
【００５８】  図８の（ａ）は、芳香成分を収納するための部材としての筺体と蓋体とからなる芳香成分の担体部の一実施形態を示す断面図である。まず、図のように、芳香成分の担体部３０（以下、単に担体部３０と略記することもある）は、開口部３−１、壁部３−２ａ、３−２ｂおよび底部３−３を有する筺体３と、筺体３内の芳香成分が外へ透過するための孔２−１を有する蓋体２とからなる。そして蓋体２が筺体３の開口部３−１を覆うようにして担体部３０が形成される。
【００５９】  さらに、筺体３から蓋体２が着脱可能となるように、蓋体２の端部の筺体３と接する部位には、図８の（ａ）では下方向に行くほど突起の幅が広くなる突起部２−３ａ、２−３ｂを設け、筺体３の壁部３−２ａ、３−２ｂには、蓋体２と接する部位から下方向に行くほど幅の狭くなる切れ込み３−４ａ、３−４ｂを設け、突起部２−３ａと切れ込み３−４ａ、突起部２−３ｂと切れ込み３−４ｂとで、蓋体２が筺体３に嵌合可能にしている。
【００６０】  この様な筺体３と蓋体２の材質については、加工が簡単であるといった点では高分子材料が好ましく、また、堅牢性からは金属材料が好ましい。
【００６１】  図８の（ｂ）は、この実施形態の蓋体２を筺体３に取り付ける前の状態を示す担体部３０の立体図、（ｃ）はその実施形態の蓋体２を筺体３に取り付けた後の状態を示す担体部３０の立体図である。
【００６２】  図９の（ａ）は、筺体３と蓋体２とが磁力により着脱可能にする担体部４０（以下、単に担体部４０と略記することがある）の一実施形態を示す断面図である。
【００６３】  筺体３と蓋体２とが磁力により着脱可能な材料からなる場合において、筺体３の底部３−４の外側（図９においては下側）に磁石部材８を設け、筺体３から蓋体２が磁力により着脱を可能にしたものである。この構成では、蓋材２に突起部２−４ａおよび２−４ｂを設け、蓋材２のずれや脱落を防止する構造を有することが好ましい。
【００６４】  また、筺体３か蓋体２のどちらかが磁石からなり、他方が磁力により接合可能な材料である構成であっても同様である。
【００６５】  図９の（ｂ）は、この実施形態の蓋体２を筺体３に取り付ける前の状態を示す担体部４０の立体図、（ｃ）は、この実施形態の蓋体２を筺体３に取り付けた後の状態を示す担体部４０の立体図である。
【００６６】  図１０は筺体３内に芳香成分の収納のいくつかの形態を示す担体部４０の断面図である。図１０の（ａ）は、筺体３内に液状の芳香成分９−１を収納していることを示す。芳香成分９−１が低粘度で浸透性が高い場合は、漏出しないように蓋体２の孔２−１の大きさを十分に小さく設計する必要がある。この様な場合、あるいは芳香成分９−１が低沸点で揮発性が高い場合等でも、蓋体２を多孔性の焼結体などとして、速放性から徐放性まで、求められる芳香成分の放出速度に応じて、孔２−１の数や大きさを調整することは、本考案においても好ましい態様である。
【００６７】  図１０の（ｂ）は、筺体３内に粒子状の芳香成分９−２を収納していることを示す。この場合は、蓋体２の孔２−１の大きさは芳香成分９−２の粒子より小さく設定すれば芳香成分９−２の漏出は防止できる。粒子状の芳香成分は昇華により成分が放出されることが多く、芳香成分９−２が昇華性を有する時は、粒子径が小さくなると表面積が増大して昇華の速度が速くなる。また、蓋体２の孔２−１の大きさや数の多少によって、筺体３の内外の空気の移動量が変化するため、昇華の速度にも直接影響する。そこで、やはり速放性から徐放性まで、求められる香り成分の放出速度に応じて、芳香成分９−２の粒子径や、蓋体２の孔２−１の数や大きさを調整することが好ましい。
【００６８】  図１０の（ｃ）は、筺体３内に一塊の固形状の芳香成分９−３を、（ｄ）は液状の芳香成分を含浸させた多孔質の焼結体９−４を、（ｅ）は液状の芳香成分を含浸させた繊維質のもの９−５を収納していることを示す。これらは、蓋体２の孔２−１の形状や大きさに係わらず、芳香成分の漏出がほとんど起こらず、さらに異なる香りの芳香成分への取り換えが簡単であるという観点から、本考案においても好ましい態様である。
【００６９】  図１１は装飾品の本体部の一実施形態としてペンダント５０の立体図である。本実施形態では、ペンダントの本体部５０の、身体または衣装に装着させる部位としての部材１０−１と、芳香成分の担体部の支持部位としての部材１０−４（以下、単に支持部位１０−４と略記することがある）と、両部位を連結する部材１０−２、１０−３とを有する。
【００７０】  図１２の（ａ）は、装飾品の本体部の一実施形態としてイヤリング６０の断面図、（ｂ）は、この実施形態のイヤリング６０の立体図である。
【００７１】  本実施形態では、イヤリングの本体部６０の耳に装着させる部位を構成する部材１１−１、１１−２、１１−３、１１−５および１１−６と、芳香成分の担体部の支持部位としての部材１１−７（以下、単に支持部位１１−７と略記することがある）と、両部位を連結する部材１１−４とを有する。部材１１−２には雄ネジが、部材１１−３には雌ネジが切られていて、部材１１−１を回して部材１１−５と部材１１−６の間に耳たぶを挟みイヤリング６０を身体に固定する通常の形態のものである。
【００７２】  図１３は装飾品の本体部の一実施形態として、装飾機能部１３を装飾品の本体部位１０の一面に設けたペンダント５０の立体図である。装飾機能部１３は前記と同様に、見ている者に何らかの美的感覚を刺激する機能を有する部位である。装飾品の本体部の場合は、例えば、色彩では金色、銀色等の金属光沢を有する色や、高い光沢や輝きを放つ各色であったり、模様では動植物の精緻な絵やデフォルメした図柄、幾何学模様、紋章や旗章、形状では装飾品の本体部自体が動植物の形状、幾何学的な形状、透かし彫りや彫金等であることが該当するが、もちろん、見ている者に何らかの美的感覚を刺激する機能を有する部位であればよく、本例示に限定されるわけではない。
【００７３】  本実施形態において、装飾機能部１３は支持部位１０−４の表側に設けられており、この場合、芳香成分の担体部は支持部位１０−４の裏面（１０−５）に取り付けられることになる。
【００７４】  図１４の（ａ）は、支持部位に対して、芳香成分の担体部を嵌合により着脱自在に取り付ける一実施形態を説明するための、芳香成分の担体部を支持部位に嵌合する前の状態を示す断面図、（ｂ）は、その実施形態を説明するための、芳香成分の担体部を支持部位に嵌合した後の状態を示す断面図である。図１４の（ａ）において、担体部３０の筺体３の底部３−４側に深部になるほど開口部が広くなる凹部３−５を設け、ペンダント５０に取り付ける場合、支持部位１０−４側には上方向に行くほど突起の幅が広くなる突起部１０−６を設け、凹部３−５と突起部１０−６とを嵌合させることにより、支持部位１０−４に担体部３０を取り付けることができる。
【００７５】  そして図１４の（ａ）では、さらに担体部３０の筺体３の底部３−４の外側面の両方に切れ込み３−６ａおよび３−６ｂを設け、ペンダント５０に取り付ける場合、支持部位１０−４に突起部１０−７ａおよび１０−７ｂを設け、突起部１０−７ａの内側面に対しては切れ込み３−６ａの側面を、突起部１０−７ｂの内側面に対しては切れ込み３−６ｂの側面を合わせてスライドさせることにより、嵌合を簡単にすることは本考案の好ましい態様である。
【００７６】  図１５の（ａ）は芳香成分の担体部を支持部位に嵌合により着脱自在に取り付ける別の実施形態を説明するための、芳香成分の担体部を支持部位に嵌合する前の状態を示す断面図、（ｂ）は、その実施形態を説明するための、芳香成分の担体部を支持部位に嵌合した後の状態を示す断面図である。
【００７７】  図１５の（ａ）では、担体部３０の筺体３の底部３−４の両方の外側面には切れ込みは設けず、ペンダント５０に取り付ける場合、支持部位１０−４には、底部３−４の外側面３−７ａおよび３−７ｂに略接する位置となるように、突起部１０−８ａおよび１０−８ｂを設け、両突起部の間で担体部３０の筺体３の底部３−４の外側面を合わせてスライドさせることにより、嵌合を簡単にすることも本考案の好ましい態様である。
【００７８】  この様に、担体部３０の筺体３の底部３−４の両方の外側面に切れ込みを設ける場合は、突起部が目立たなくなるという利点があり、切れ込みを設けない場合はその分の細工が不要になるという利点がある。なお、筺体３の外側に１０−８ａや１０−８ｂに相当するような突起部を有する場合でも、突起部に波型や半円状の曲線をつける等の装飾機能を持たせること（図示せず）はさらに本考案の好ましい態様である。
【００７９】  図１６の（ａ）は、図１５の実施形態を適用した第五実施例のペンダント４００の、担体部３０を支持部位１０−４に嵌合する前の状態を示す立体図、（ｂ）はその第五実施例のペンダントの、担体部３０を支持部位１０−４に嵌合した後の状態を示す立体図である。
【００８０】  本実施例の場合、装飾機能部１３は支持部位１０−４において担体部３０が取り付けられる面と反対側の面に設けられている。
【００８１】  図１７の（ａ）は、担体部を支持部位に嵌合により着脱自在に取り付ける別の実施形態を説明するための、担体部を支持部位に嵌合する前の状態を示す断面図、（ｂ）はその実施形態を説明するための、担体部を支持部位に嵌合した後の状態を示す断面図である。
【００８２】  図１７の（ａ）では、担体部３０の筺体３の底部３−４の外側（図１７においては横方向）に突起部３−８ａおよび３−８ｂを設け、ペンダント５０に取り付ける場合、支持部位１０−４側には逆Ｌ字型の突起部１０−９ａおよび１０−９ｂを設ける。そして、突起部３−８ａと突起部１０−９ａとを、また、突起部３−８ｂと突起部１０−９ｂとを嵌合させることにより、担体部３０を支持部位１０−４に取り付けることができる。
【００８３】  図１８の（ａ）は、図１７の実施形態を適用した第六実施例のペンダント５００の、担体部３０を支持部位１０−４に嵌合する前の状態を示す立体図、（ｂ）はその第六実施例のペンダントの、担体部３０を支持部位１０−４に嵌合した後の状態を示す立体図である。
【００８４】  本実施例の場合でも、装飾機能部１３は支持部位１０−４において担体部３０が取り付けられる面と反対側の面に設けられている。
【００８５】  図１９の（ａ）は、担体部を支持部位に螺合により着脱自在に取り付ける一実施形態を説明するための、芳香成分の担体部を支持部位に螺合する前の状態を示す断面図であり、（ｂ）はその実施形態を説明するための、芳香成分の担体部を支持部位に螺合した後の状態を示す断面図である。
【００８６】  図１９の（ａ）では、担体部３０の筺体３の底部３−４側に雄ねじを切った突起部３−９を設け、イヤリング６０に取り付ける場合、支持部位１１−７側には雌ねじを切った孔１１−８を設け、突起部３−９と孔１１−８とを螺合させることにより、担体部３０を支持部位１１−７に取り付けることができる。
【００８７】  図２０の（ａ）は、図１９の実施形態を適用した第七実施例のイヤリング６００の、担体部３０を支持部位１１−７に螺合する前の状態を示す断面図、（ｂ）はその第七実施例のイヤリング６００の、担体部３０を支持部位１１−７に螺合した後の状態を示す断面図である。
【００８８】  本実施例の場合、装飾機能部１３は蓋体２の外面（図２０においては左側面）に設けられている。
【００８９】  図２１の（ａ）は、図１９の実施形態を適用した第七実施例のイヤリング６００の担体部３０を支持部位１１−７に螺合する前の状態を示す立体図、（ｂ）はその第七実施例のイヤリング６００の担体部３０を支持部位１１−７に螺合した後の状態を示す立体図である。
【００９０】  第五〜第七実施例の装飾品が有する筺体３と蓋体２からなる担体部は、前記の芳香成分を収納するための部材１と蓋体２からなる担体部２０と比較して、多くの細工は必要になるが、液状以外の芳香成分が利用可能であり、さらに芳香成分を収納できる容積も大きくできるという点で優れている。そして、この様な優れた点から、装飾品としてペンダントやイヤリングなど、香り成分を発散させる部位の面積を大きくとれないような物品への利用に適している。
【００９１】  さらに、筺体に蓋体が着脱可能に取り付けられていることに加えて、支持部位に担体部が嵌合または螺合という手段で着脱可能に取り付けられていることにより、担体部自体の取り換えも容易となる。したがって、例えば、異なる香りの成分を収納した担体部を複数用意しておくと、その場の雰囲気にふさわしい香りに即座に選択したり、取り換えたりすることも可能になる。
【００９２】第八実施例、第九実施例および第十実施例の説明
【００９３】  図２２の（ａ）は、芳香成分の担体部を支持部位に磁力で着脱可能に取り付ける一実施形態を説明するための、芳香成分の担体部を支持部位に取り付ける前の状態を示す断面図、（ｂ）は、その実施形態を説明するための、芳香成分の担体部を支持部位に取り付けた後の状態を示す断面図である。
【００９４】  筺体と支持部位とが磁力により接合可能な材料からなる場合において、筺体３の底部３−４の外側に磁石部材８を設け（図９で示した担体部４０）、ペンダント５０やイヤリング６０に取り付ける場合、担体部４０を支持部位１０−４（１１−７）から磁力により着脱を可能にしたものである。この構成では、さらに支持部位１０−４（１１−７）に突起部１０−１１ａおよび１０−１１ｂを設け、担体部４０のずれや脱落を防止する構造を有することが好ましい。なお、筺体３が磁石からなる場合、および支持部位１０−４側に磁石部材を配置する構成であっても同様である。
【００９５】  また、ペンダント５０やイヤリング６０の本体部が貴金属などの磁力での接合のできない金属である場合でも、支持部位側に鉄等の磁力で接合可能な金属を貼り合わせたり埋め込んだりして、筺体部４０を着脱可能にする方法も利用できる。
【００９６】  図２３の（ａ）は、図２２の実施形態を適用した第八実施例のペンダント７００の担体部４０を支持部位１０−４に取り付ける前の状態を示す立体図、（ｂ）は、その第八実施例のペンダント７００の担体部４０を支持部位１０−４に取り付けた後の状態を示す立体図である。
【００９７】  本実施例の場合、装飾機能部１３は、支持部位１０−４において担体部４０が取り付けられる面と反対側の面に設けられている。
【００９８】  さらに、担体部４０の取り外しを簡単にするために、筺体３の壁部の外側に突起部３−１０を設けることは本考案の好ましい態様である。
【００９９】  図２４の（ａ）は、図２２の実施形態を適用した第九実施例のイヤリング８００の、担体部４０を支持部位１１−７に取り付ける前の状態を示す断面図、（ｂ）は、その第九実施例のイヤリング８００の、担体部４０を支持部位１１−７に取り付けた後の状態を示す断面図である。
【０１００】  また、図２５の（ａ）は図２２の実施形態を適用した第九実施例のイヤリング８００の、担体部４０を支持部位１１−７に取り付ける前の状態を示す立体図、（ｂ）はその第九実施例のイヤリング８００の、担体部４０を支持部位１１−７に取り付けた後の状態を示す立体図である。
【０１０１】  本実施例の場合、装飾機能部１３は担体部４０の蓋体２の外面（図２４においては左側面）に設けられている。
【０１０２】  図２６の（ａ）は、芳香成分の担体部を支持部位に粘着力で着脱可能に取り付ける一実施形態を説明するための、芳香成分の担体部を支持部位に取り付ける前の状態を示す断面図、（ｂ）はその実施形態を説明するための、芳香成分の担体部を支持部位に取り付けた後の状態を示す断面図である。
【０１０３】  図２６の（ａ）では、担体部３０の筺体３の底部３−４の外側に粘着剤層１４を設け、ペンダント５０に取り付ける場合、支持部位１０−４に対して担体部３０を粘着力により着脱可能にしたものである。この実施形態では、さらに支持部位１０−４に凹部１０−１２を設け、担体部３０のずれや脱落を抑制するとともに、粘着剤層１４を目立たなくする構造を有することが好ましい。
【０１０４】  図２７の（ａ）は、図２６の実施形態を適用した第十実施例のペンダント９００の、担体部３０を支持部位１０−４に取り付ける前の状態を示す立体図、（ｂ）はその第十実施例のペンダント９００の、担体部３０を支持部位１０−４に取り付けた後の状態を示す立体図である。
【０１０５】  第八〜第十実施例の装飾品は筺体３と蓋体２からなる担体部を有し、液状以外の芳香成分が利用可能であり、さらに芳香成分を収納できる容積も大きくできるという点で優れ、香り成分を発散させる部位の面積を大きくとれないような物品でも多くの香り成分を発散させることに適している。
【０１０６】  また、支持部位に担体部が磁力または粘着力という手段で着脱可能に取り付けられていることにより、嵌合または螺合の手段と比較して、担体部のずれや脱落の可能性はあるかもしれないが、それ以上に担体部の取り換えが容易であるという利点がある。したがって、その場の雰囲気にふさわしい香りに即座に選択したり、取り換えたりすることもより容易になる。
【０１０７】  以上、図面を用いて説明したように、本考案の装飾品では、装飾機能を極力、阻害しない部位から、香りを発散できるとともに、自分の好みやその場の雰囲気に応じて、香りの種類を即座に取り換えたり、長時間の放出を可能にする機能を有する。そして、装飾品本来の装飾機能による視覚的効果と香りによる嗅覚的な効果とにより、高い相乗効果が期待できる。
【符号の説明】
【０１０８】１・・・芳香成分を収納するための部材
２・・・蓋体
３・・・筺体
４・・・連結部材
５・・・割りピン
６・・・身体に装着するための部材
７・・・ひも状のゴム
８・・・磁石部材
１４・・・粘着剤層
２０・・・担体部
３０・・・担体部
４０・・・担体部
５０・・・ペンダントの本体部
６０・・・イヤリングの本体部
【図１】
0003188540.tif 000003
【図２】
0003188540.tif 000004
【図３】
0003188540.tif 000005
【図４】
0003188540.tif 000006
【図５】
0003188540.tif 000007
【図６】
0003188540.tif 000008
【図７】
0003188540.tif 000009
【図８】
0003188540.tif 000010
【図９】
0003188540.tif 000011
【図１０】
0003188540.tif 000012
【図１１】
0003188540.tif 000013
【図１２】
0003188540.tif 000014
【図１３】
0003188540.tif 000015
【図１４】
0003188540.tif 000016
【図１５】
0003188540.tif 000017
【図１６】
0003188540.tif 000018
【図１７】
0003188540.tif 000019
【図１８】
0003188540.tif 000020
【図１９】
0003188540.tif 000021
【図２０】
0003188540.tif 000022
【図２１】
0003188540.tif 000023
【図２２】
0003188540.tif 000024
【図２３】
0003188540.tif 000025
【図２４】
0003188540.tif 000026
【図２５】
0003188540.tif 000027
【図２６】
0003188540.tif 000028
【図２７】
0003188540.tif 000029